(57)【要約】      （修正有）【課題】粒状、液状、粉状等の種々の形状・性状の製品（包装充填物）を収容している包装袋から包装充填物の一部を区分して、少しずつ取り出すことができる取出量調整可能な包装袋を提供する。【解決手段】包装袋の一つの側縁と対向する他の側縁との間に開口部を形成するため一つの側縁に形成されている開封部、開口部が形成される位置よりも当該包装袋内に収容されている包装充填物が存在する側に形成されているジッパー部、及び、シール部と非シール部とを有するシール帯を備える。シール部により、包装充填物の開口部が形成される側への移動が阻止され、非シール部により、包装充填物の一部が区分されて開口部が形成される側へ通過することにより、包装充填物の中の一部分が区分されて取り出される。【選択図】図１
0003155961.tif 000002
【実用新案登録請求の範囲】
【請求項１】
包装袋の一つの側縁と当該一つの側縁に交叉する他の側縁との間に、又は、包装袋の一つの側縁と当該一つの側縁に対向する他の側縁との間に開口部を形成するため、前記一つの側縁に形成されている開封部、又は、前記一つの側縁と前記他の側縁とにそれぞれ形成されている開封部と、
前記開口部が形成される位置よりも前記包装袋内に収容されている包装充填物が存在する側に形成されている、前記開口部が形成された後の前記包装袋の開封及び再封鎖を行なうジッパー部と、
前記ジッパー部が形成される位置又は、前記ジッパー部が形成される位置よりも前記包装袋内に収容されている包装充填物が存在する側に形成されていて、シール部と非シール部とを有するシール帯と、を備えており、
前記非シール部は前記シール帯の両端の間の所定の位置に所定の大きさで形成され、
前記シール帯におけるシール部により、前記包装袋に収容されている前記包装充填物の前記開口部が形成される側への移動が阻止され、
前記シール帯における非シール部により、前記包装袋に収容されている前記包装充填物の一部が区分されて前記開口部が形成される側へ通過することにより、前記包装充填物の中の一部分が区分されて前記開口部から取り出される
ことを特徴とする前記包装袋内に収容されている包装充填物の前記開口部からの取出量を調整可能な包装袋。
【請求項２】
前記シール部と非シール部を有するシール帯に形成される非シール部の形状は、前記開口部が形成される側における前記シール帯両端方向の長さが、前記包装充填物が存在している側における前記シール帯両端方向の長さ以下であることを特徴とする請求項１記載の、収容している包装充填物の前記開口部からの取出量を調整可能な包装袋。
【考案の詳細な説明】
【技術分野】
【０００１】
本考案は、包装袋に関し、特に、粒状、液状、粉状等の種々の形状・性状の製品を収容していて、当該収容している粒状、液状、粉状等の種々の形状・性状の製品（以下、本明細書、実用新案登録請求の範囲において「包装充填物」と表わすことがある。）の一部を区分して、少しずつ取り出すことを特徴とする包装袋に関する。
【背景技術】
【０００２】
包装充填物を収容する包装袋として、紙器やプラスチック複合フィルムを用いたパウチ、ピロー袋、スティック等様々な種類が存在する。これらの包装袋の開封手段として、紙器においてはミシン目を設ける技術、パウチ、ピロー袋等においては開口位置に切り込みを入れる技術等が一般的に知られている。
【０００３】
上記のような手段によって包装袋を容易に開封することができるが、従来の該包装袋は全開封のために包装充填物を取り出す際に必要以上に包装充填物が取り出されることがある。また、開封後の再封が難しい問題がある。
【０００４】
これらの問題点を解決する目的で、包装袋の開封手段を改良する技術や、ジッパーを使うことにより袋の密封性を高める技術が提案されている（例えば、特許文献１、２）。
【先行技術文献】
【特許文献】
【０００５】
【特許文献１】実開平６−４２６８８号公報
【特許文献２】特開２００９−１８８１９号公報
【考案の概要】
【考案が解決しようとする課題】
【０００６】
この考案は、粒状、液状、粉状等の種々の形状・性状の製品（包装充填物）を収容している包装袋から包装充填物の一部を区分して、少しずつ取り出すことを特徴とする包装袋に関して提案することを目的にしている。
【課題を解決するための手段】
【０００７】
本願の請求項１記載の考案は、
包装袋の一つの側縁と当該一つの側縁に交叉する他の側縁との間に、又は、包装袋の一つの側縁と当該一つの側縁に対向する他の側縁との間に開口部を形成するため、前記一つの側縁に形成されている開封部、又は、前記一つの側縁と前記他の側縁とにそれぞれ形成されている開封部と、
前記開口部が形成される位置よりも前記包装袋内に収容されている包装充填物が存在する側に形成されている、前記開口部が形成された後の前記包装袋の開封及び再封鎖を行なうジッパー部と、
前記ジッパー部が形成される位置又は、前記ジッパー部が形成される位置よりも前記包装袋内に収容されている包装充填物が存在する側に形成されていて、シール部と非シール部とを有するシール帯と、を備えていて、
前記非シール部は前記シール帯の両端の間の所定の位置に所定の大きさで形成され、
前記シール帯におけるシール部により、前記包装袋に収容されている前記包装充填物の前記開口部が形成される側への移動が阻止され、
前記シール帯における非シール部により、前記包装袋に収容されている前記包装充填物の一部が区分されて前記開口部が形成される側へ通過することにより、前記包装充填物の中の一部分が区分されて前記開口部から取り出される
ことを特徴とする前記包装袋内に収容されている包装充填物の前記開口部からの取出量を調整可能な包装袋
である。
【０００８】
請求項２記載の考案は、
前記シール部と非シール部を有するシール帯に形成される非シール部の形状は、前記開口部が形成される側における前記シール帯両端方向の長さが、前記包装充填物が存在している側における前記シール帯両端方向の長さ以下であることを特徴とする請求項１記載の、収容している包装充填物の前記開口部からの取出量を調整可能な包装袋
である。
【考案の効果】
【０００９】
この考案によれば、粒状、液状、粉状等の種々の形状・性状の製品（包装充填物）を収容している包装袋から包装充填物の一部を区分して、少しずつ取り出すことができる。
【図面の簡単な説明】
【００１０】
【図１】本考案の一実施例を説明する正面図。
【図２】本考案の他の実施例を説明する正面図。
【図３】本考案の更に他の実施例を説明する正面図。
【図４】包装袋の開口部側と包装充填物が存在している側とで非シール部の大きさが異なる例を説明する正面図。
【考案を実施するための形態】
【００１１】
本考案の包装袋は粒状、液状、粉状等の種々の形状・性状の製品（包装充填物）を収容して密封包装することに用いられるものである。前記の包装充填物としては、例えば、医薬品、医薬部外品、サプリメント、小型機械部品（ボルト、ナット、座金等）、トイレタリー製品、電気部品、粉状や液状の食品、キャンディや錠菓などに例示される粒状の菓子等の粒状の食品などが挙げられる。
【００１２】
包装袋の材質は合成樹脂製など、従来この技術分野で採用されているものを使用することができる。形態も、パウチ、ピロー袋、スティック袋、等、種々の形態を採用できるが、前記に例示した包装充填物を密封包装するものであれば特に限定するものではない。
【００１３】
前記包装袋は、一つの側縁と当該一つの側縁に交叉する他の側縁との間に、又は、一つの側縁と当該一つの側縁に対向する他の側縁との間に開口部を形成するため、前記一つの側縁に形成されている開封部、又は、前記一つの側縁と前記他の側縁とにそれぞれ形成されている開封部を備えている。
【００１４】
この開封部は、例えば、開封用の切れ込み（ノッチ）にすることができる。また、開封用の切れ込みを設けて、該切れ込みの方向に沿って包装袋を開封することに替えて、切れ込み以外の手段（例えば複合フィルムの一部の基材にミシン目加工を施し、ノッチなしでも一定の位置で開封する手段）で開封する等、ノッチの形態以外の開封部にすることもできる。
【００１５】
前記開口部が形成される位置よりも前記包装袋内に収容されている包装充填物が存在する側にジッパー部が形成されている。このジッパー部により、前記開口部が形成された後の前記包装袋の開封及び再封鎖が行なわれる。すなわち、開口部が形成される位置よりも前記包装袋内に収容されている包装充填物が存在する側にジッパー部が形成されていることにより、開封部（例えば、開封用の切れ込み（ノッチ））を利用して開口部が形成された後も、ジッパー部が存在していることによって、包装袋の開封及び再封鎖が可能になる。
【００１６】
前記ジッパー部が形成される位置又は、前記ジッパー部が形成される位置よりも前記包装袋内に収容されている包装充填物が存在する側にシール帯が形成されている。このシール帯はシール部と非シール部とを備えており、非シール部はシール帯の両端の間の所定の位置に所定の大きさで形成されている。
【００１７】
前記シール帯におけるシール部により、前記包装袋に収容されている前記包装充填物の前記開口部が形成される側への移動が阻止され、前記シール帯における非シール部により、前記包装袋に収容されている前記包装充填物の一部が区分されて前記開口部が形成される側へ通過することにより、前記包装充填物の中の一部分が区分されて前記開口部から取り出されるものである。
【００１８】
これによって本考案の包装袋は、前記包装袋内に収容されている包装充填物の前記開口部からの取出量を調整可能にしている。
【００１９】
なお、前記ジッパー部が形成される位置に前記シール帯が形成されている形態の場合、前記のシール帯を、前記ジッパー部に沿って延びていて、前記ジッパー部における前記開口部が形成される側及び／又は前記ジッパー部における前記ジッパー部よりも当該包装袋の前記包装充填物が存在している側に形成することができる。
【００２０】
前述したように前記シール帯の非シール部が形成される位置を前記シール部と非シール部を有するシール帯の両端の間の所定の位置にすることにより、包装袋から包装充填物が取り出されてくる位置を任意に変更することができる。
【００２１】
また、前記非シール部の大きさを所定の大きさにすることにより、前記非シール部の大きさを任意に変更し、包装充填物の取出量を適宜に調整することができる。
【００２２】
例えば、前記シール部と非シール部を有するシール帯に形成される非シール部の前記シール帯両端方向に延びる長さは、前記内部に収容している包装充填物の一部を区分して取出す取出量により設定することができる。シール帯の非シール部の前記シール部両端方向に延びる長さを加減することにより、包装充填物の取出量を適宜に調整することができる。
【００２３】
このような本考案の取出量調整可能な包装袋によれば、開封部（例えば、開封用の切れ込み（ノッチ））を利用して開口部を形成した後、前記ジッパー部を開封して前記包装袋から前記包装充填物を取り出そうとすると、包装充填物は、前記シール帯の非シール部を介してしか取り出すことができない。すなわち、前記シール帯に備えられている非シール部が、前記包装充填物が前記包装袋から取り出されていく口としての役割を果たす。
【００２４】
そこで、前記包装袋に収容されて密封されていた包装充填物の全体、あるいは大部分が一度に開口部から出てくることが無くなり、当該包装袋に収容されている包装充填物を取り出し使用しようとする者は、希望する数・量、例えば、粒状製品を一粒ずつ、あるいは二粒ずつ、粉状、液状製品では希望する一部の量を取り出して使用することができる。
【実施例１】
【００２５】
図１、図２を用いて本考案の取出量調整可能な包装袋が、粒状の小粒製品５を収容し、密封する包装袋として使用されている場合の一例を説明する。
【００２６】
図示の包装袋１ａは粒状の小粒製品５を収容し、密封する包装袋である。図示の実施形態ではピロー袋にしている。
【００２７】
包装袋１ａは側縁８ａに開封用の切れ込み（ノッチ）４を備えている。この開封用の切れ込み（ノッチ）４を利用して、側縁８ａと、側縁８ａに対向する側縁８ｃとの間に開口部４ａを形成することができる。
【００２８】
開口部４ａが形成される位置よりも包装袋１ａの小粒製品５が収容されている側（図１中、下側）には、開口部４ａが形成された後の包装袋１ａの開封及び再封鎖を行なうジッパー部３ａが配備されている。開封用の切れ込み（ノッチ）４を利用して開口部４ａが形成された後も、ジッパー部３ａが存在していることによって、包装袋１ａの開封及び再封鎖が可能になっている。ジッパー部３ａで再封鎖することにより開口部４ａが形成された後の包装袋１ａ内を密封し、収容されている粒状製品５を、開口部４ａを介して取り出す際にジッパー部３ａを開封する。
【００２９】
ジッパー部３ａが形成される位置よりも小粒製品５が収容されている側（図１中、下側）には、シール部２ｂと非シール部７ａとを有するシール帯が形成されている。
【００３０】
シール帯におけるシール部２ａにより、包装袋１ａに収容されている小粒製品５がジッパー部３ａ方向に移動することが阻止される。
【００３１】
一方、非シール部７ａにより、包装袋１ａに収容されている小粒製品５の中の一部が区分されて、ジッパー部３ａ方向に通過していく。
【００３２】
シール部２ｂと非シール部７ａとを有するシール帯はジッパー部３ａと平行に延びるように形成されている。
【００３３】
非シール部７ａは、シール帯の両端の間の適宜な位置に形成することができる。図１図示の実施形態では中央部付近に形成している。
【００３４】
本考案の取出量調整可能な包装袋１ａを開封して粒状製品５を取り出そうとする者は、まず、開封用の切れ込み（ノッチ）４を利用して、側縁８ａと側縁８ｃとの間に開口部４ａを形成する。次いで、ジッパー部３ａを開封して粒状製品５を取り出そうとする。例えば、図１図示の状態から天地を逆転させて開口部４ａを介して粒状製品５を取り出そうとする。
【００３５】
この場合、前述したように、シール帯におけるシール部２ａによって、ジッパー部３ａ方向への粒状製品５の移動は阻止される。そして、粒状製品５は矢印６で示すように、シール帯における非シール部７ａを介してのみジッパー部３ａ方向、すなわち、開口部４ａ方向へ移動することができる。
【００３６】
そこで、開封用の切れ込み（ノッチ）４を利用して、側縁８ａと側縁８ｃとの間に開口部４ａを形成し、ジッパー部３ａを開放し、例えば、図１図示の状態から天地を逆転させて開口部４ａを介して粒状製品５を取り出そうとした時に、シール帯の非シール部７ａを通過できる量の粒状製品５しか一度に取り出すことができない。
【００３７】
シール帯の非シール部７ａを通過できる量は、非シール部７ａのシール帯における非シール部７ａのシール帯両端方向に延びる長さ（図１中、左右方向の長さ）を長短することによって加減できる。
【００３８】
かくして、本考案の取出量調整可能な包装袋１ａに収容されて密封されていた粒状製品５の全体、あるいは大部分が一度に開口部４ａから出てくることが無く、包装袋１ａに収容されている粒状製品５を取りだそうとする者は、希望する数、例えば、適宜の数の粒状製品５を取り出すことができる。
【００３９】
図１図示の実施例では、シール部と非シール部を有するシール帯の非シール部７ａが、シール帯２ａの両端の間の中央部付近に形成されているが、図２図示の本考案の取出量調整可能な包装袋１ｂでは、非シール部７ｂが、シール帯の中央部から、図２中、左側方向に偏った位置に形成されている。
【００４０】
該シール部２ａと非シール部７ａ、７ｂを有するシール帯における非シール部７ａ、７ｂは、シール帯両端方向に延びる方向の適宜な位置に設けることが可能である。
【００４１】
この点以外は図１図示の本考案の取出量調整可能な包装袋１ａと共通しているので、共通する部材に共通する符号を付けてその説明を省略する。
【００４２】
非シール部７ａ、７ｂを本考案の取出量調整可能な包装袋１ａのように、シール帯２ａの中央部に形成したり、本考案の取出量調整可能な包装袋１ｂのように、シール帯２ａの中央部からシール帯２ａのどちらか一方の側に偏った位置に形成することにより、本考案の取出量調整可能な包装袋１ａ、１ｂから粒状製品５が取り出されてくる位置を任意に変更できる。すなわち、シール帯の非シール部を形成する位置は粒状製品５が通過できる大きさのシール帯の非シール部７ａ、７ｂを設けることができれば任意の位置に決めることができる。
【００４３】
図４は、シール部２ａと非シール部７ａを有するシール帯に形成される非シール部７ａの形状を、図１、図２図示の実施形態における非シール部７ａ、７ｂの形状とは異ならせた本考案の取出量調整可能な包装袋１ｄの一例を説明するものである。図１、図２図示の実施例と共通する部材に共通する符号を付けてその説明を省略する。
【００４４】
図４図示の本考案の取出量調整可能な包装袋１ｄでは、非シール部７ａの形状が、開口部４ａが形成される側におけるシール帯両端方向の長さが、包装充填物である粒状製品５が存在している側におけるシール帯両端方向の長さ以下になっている。
【００４５】
なお、開口部４ａが形成される側におけるシール帯両端方向の長さが、包装充填物である粒状製品５が存在している側におけるシール帯両端方向の長さ以下になっている非シール部７ａの形状であれば、図４に例示したものに限られず、種々の形態にすることが可能である。
【実施例２】
【００４６】
本考案の取出量調整可能な包装袋が、粒状の小粒製品５を収容し、密封する包装袋として使用されている場合の他の例を図３に基づいて説明する。
【００４７】
図３図示の実施形態は、開封用の切れ込み（ノッチ）４が、側縁８ａ及び、側縁８ａに対向する側縁８ｃに形成されている点および、ジッパー部３ｂが形成される位置にシール部２ｂと非シール部７ｃとを備えているシール帯が形成されている点が図１、図２を用いて実施例１で説明した実施形態と相違している。その他の点は実施例１、図１、２と同一であるので、図１、図２を用いて実施例１で説明した事項と共通する部分に関しては共通する符号を付けてその説明を省略する。
【００４８】
ジッパー部３ｂが形成される位置にシール帯が形成されている本実施例では、ジッパー部３ｂに沿って延びるようにシール部２ｂと非シール部７ｃとを有するシール帯が形成されており、シール帯は、ジッパー部３ｂの開口部４ａが形成される側（図３中、上側）及び、ジッパー部３ｂよりも包装袋１ａの小粒製品５が収容されている側（図３中、下側）に形成されている。
【００４９】
なお、前記では、ジッパー部３ｂの開口部４ａが形成される側（図３中、上側）及び、ジッパー部３ｂよりも本発明の取出量調整可能な包装袋１ａの小粒製品５が収容されている側（図３中、下側）にシール部２ｂと非シール部７ｃとを有するシール帯を形成したが、これに替えて、ジッパー部３ｂに沿って延びるシール帯を、ジッパー部３ｂの開口部４ａが形成される側（図３中、上側）のみに形成する、あるいは、ジッパー部３ｂよりも本発明の取出量調整可能な包装袋１ａの小粒製品５が収容されている側（図３中、下側）のみに形成して、ジッパー部３ｂが形成される位置にシール帯が形成されているようにすることもできる。
【００５０】
シール帯のシール部２ｂにより、包装袋１ｃに収容されている小粒製品５が、開口部４ａが形成される側に移動することが阻止される。
【００５１】
一方、非シール部７ｃにより、包装袋１ｃに収容されている小粒製品５の中の一部が区分されて、開口部４ａが形成される側に通過していく。
【００５２】
本考案の取出量調整可能な包装袋１ｃを開封して小粒製品５を取り出そうとする者は、まず、開封用の切れ込み（ノッチ）４を利用して、側縁８ａと側縁８ｃとの間に開口部４ａを形成する。次いで、ジッパー部３ｂを開封して小粒製品５を取り出そうとする。例えば、図３図示の状態から天地を逆転させて開口部４ａを介して小粒製品５を取り出そうとする。
【００５３】
この場合、前述したように、シール帯のシール部２ｂにより、包装袋１ｃに収容されている小粒製品５が、開口部４ａが形成される側に移動することが阻止される。そして、包装袋１ｃに収容されている小粒製品５の中の一部がシール部２ｂと非シール部７ｃとによって区分され、非シール部７ｃを介してのみ、矢印６で示すように、開口部４ａ方向へ移動することができる。
【００５４】
そこで、実施例１で説明したものと同じく、開封用の切れ込み（ノッチ）４を利用して、側縁８ａと側縁８ｃとの間に開口部４ａを形成し、ジッパー部３ａを開放し、例えば、図３図示の状態から天地を逆転させて開口部４ａを介して小粒製品５を取り出そうとした時に、シール部２ｂと非シール部７ｃとを有するシール帯の非シール部７ｃの長さを調整することによって、該非シール部７ｃを小粒製品５が単位時間当たりの通過できる量を加減することが可能となる。
【００５５】
このように、シール部２ｂと非シール部７ｃを有するシール帯は、本発明の取出量調整可能な包装袋１ｃに収容されている小粒製品５の開口部４ａ方向への移動量を抑制し、該非シール部７ｃを介してのみ小粒製品５が開口部４ａ方向へ移動可能にするものである。
【００５６】
図３図示の実施例２においても、図１、図２図示の実施形態における図４図示の例と同様に、シール部２ｂと非シール部７ｃを有するシール帯に形成される非シール部７ｃの形状が、開口部４ａが形成される側におけるシール帯両端方向の長さが、包装充填物である粒状製品５が存在している側におけるシール帯両端方向の長さ以下になるようにすることができる（不図示）。
【００５７】
以上、添付図面を参照して本考案の好ましい実施形態、実施例を説明したが、本考案はこれらに限られるものではなく、実用新案登録請求の範囲の記載から把握される技術的範囲において種々の形態に変更可能である。
【００５８】
例えば、実施例１、２では、本考案の取出量調整可能な包装袋が、粒状の小粒製品５を収容し、密封する包装袋として使用されている場合の例を説明したが、包装袋に密封されているものが、液状、粉状等の種々の形状・性状を有する製品であっても同様である。包装袋に密封されているものが液状、粉状等の種々の形状・性状を有する場合でも、シール部と非シール部とを有するシール帯に形成される非シール部の前記シール帯両端方向に延びる長さを、内部に収容している液状、粉状等の種々の形状・性状を有する製品の一部を区分して取出す取出量により設定することで、包装袋に密封されている包装充填物の全体、あるいは大部分が一度に開口部から出てくることが無くなり、当該包装袋に収容されている包装充填物を取り出し使用しようとする者は、希望する一部の量を取り出して使用することができる。
【符号の説明】
【００５９】
１  本考案の取出量調整可能な包装袋
２ａ、２ｂ  シール帯におけるシール部
３ａ、３ｂ  ジッパー
４  開封用の切れ込み（開封部）
４ａ  開口部
５  小粒製品
７ａ、７ｂ、７ｃ  シール帯における非シール部
８ａ、８ｂ、８ｃ  側縁
【図１】
0003155961.tif 000003
【図２】
0003155961.tif 000004
【図３】
0003155961.tif 000005
【図４】
0003155961.tif 000006